(57)【要約】【課題】  本発明は、トータルで損をしないように金額を配分したり、あるいは予め決められた金額内で、効率良く馬券を購入することができる情報端末機器およびインターネットを用いた馬券投資支援システムに関するものである。【解決手段】  本発明の情報端末機器およびインターネットを用いた馬券投資支援システムは、馬券が当たることを想定して、効率の良い投資額の回収ができるように支援するもので、投資額の収支および累計の収支を記憶することができ、トータルで投資効率を考慮することができる。本発明の情報端末機器およびインターネットを用いた馬券投資支援システムは、入力選択手段により、累積損失回収定額あるいは投資額合計を出力手段に表示されている情報を見ながら入力し、演算手段に演算させ、投資効率を考慮して決定することができる。【選択図】    図１
2006163709.tif 000002
【特許請求の範囲】
【請求項１】
競馬馬および競馬関連情報が蓄積されたデータべースサーバにアクセスし、前記データべースサーバから前記データべースをクライアントの情報端末器にダウンロードして、馬券を購入する際の投資方法を支援する馬券投資支援システムにおいて、  
前記データべース、投資額、払戻額、収支額、投資詳細情報をそれぞれ分けて保存するローカルデータべースと、
前記ローカルデータべースから馬券を購入するに必要な情報および投資に必要な情報を抽出して記憶する投資支援情報記憶手段と、
前記投資支援情報記憶手段に記憶されている情報を選択する入力選択手段と、
前記入力選択手段によって入力された情報の内、選択されたレース毎の投資額、オッズ、および馬券種別に基づいて配当を演算する演算手段と、
前記入力選択手段により選択された情報および前記演算手段によって演算された情報を出力する出力手段と、
前記各手段を制御する情報端末制御部と、
を少なくとも備えていることを特徴とする情報端末機器およびインターネットを用いた馬券投資支援システム。
【請求項２】
前記投資支援情報記憶手段には、開催地、レース番号、馬券種別、買目、馬番号、人気、オッズ、調整オッズ、および切り捨て対象オッズ範囲選択に係る情報が前記ローカルデータべースから抽出されていることを特徴とする請求項１に記載された情報端末機器およびインターネットを用いた馬券投資支援システム。
【請求項３】
前記出力手段には、前記入力選択手段により選択された開催地、レース番号、馬券種別、買目、馬番号、人気、オッズ、調整オッズ、切り捨て対象オッズ範囲入力部、的中利益予定額入力部、投資額入力部が表示されることを特徴とする請求項１または請求項２に記載された情報端末機器およびインターネットを用いた馬券投資支援システム。
【請求項４】
前記演算手段は、前記入力選択手段によって選択された情報、的中利益予定額、累計損失回収予定額に基づいて演算することを特徴とする請求項１から請求項３のいずれか１項に記載された情報端末機器およびインターネットを用いた馬券投資支援システム。
【請求項５】
前記演算手段は、前記入力選択手段によって選択された情報と投資額合計に基づいて演算することを特徴とする請求項１から請求項３のいずれか１項に記載された情報端末機器およびインターネットを用いた馬券投資支援システム。
【請求項６】
前記演算手段は、前記入力選択手段によって選択された情報と均等投資額に基づいて演算することを特徴とする請求項１から請求項３のいずれか１項に記載された情報端末機器およびインターネットを用いた馬券投資支援システム。
【請求項７】
前記演算手段は、前記入力選択手段によって選択されたレースの数により自動的に結果を変更することができることを特徴とする請求項１から請求項６のいずれか１項に記載された情報端末機器およびインターネットを用いた馬券投資支援システム。
【請求項８】
前記出力手段によって表示された馬券の投資額は、当日または累計が投資額保存部に保存されることを特徴とする請求項１から請求項７のいずれか１項に記載された情報端末機器およびインターネットを用いた馬券投資支援システム。
【請求項９】
前記出力手段によって表示された馬券の払戻額は、当日または累計が払戻額保存部に保存されることを特徴とする請求項１から請求項８のいずれか１項に記載された情報端末機器およびインターネットを用いた馬券投資支援システム。
【請求項１０】
前記出力手段によって表示された馬券の収支額は、当日または累計が収支額保存部に保存されることを特徴とする請求項１から請求項９のいずれか１項に記載された情報端末機器およびインターネットを用いた馬券投資支援システム。
【請求項１１】
前記出力手段に表示される画面は、データ登録画面、レース選択画面、環境設定画面、ＩＰＡＴ残高照会画面、ＩＰＡＴ照会画面、収支表画面、レース詳細画面の順で表示されることを特徴とする請求項１から請求項１０のいずれか１項に記載された情報端末機器およびインターネットを用いた馬券投資支援システム。
【請求項１２】
前記出力手段に表示される画面は、前記レース選択画面からオッズ表示画面、投資画面、成績表示画面のいずれでも表示することができることを特徴とする請求項１から請求項１１のいずれか１項に記載された情報端末機器およびインターネットを用いた馬券投資支援システム。
【請求項１３】
前記投資画面は、オッズ表示画面または成績表示画面に移ることができることを特徴とする請求項１から請求項１２のいずれか１項に記載された情報端末機器およびインターネットを用いた馬券投資支援システム。
【請求項１４】
前記投資画面は、投票用紙画面に移ることができることを特徴とする請求項１から請求項１３のいずれか１項に記載された情報端末機器およびインターネットを用いた馬券投資支援システム。
【請求項１５】
前記投票用紙画面は、基本タイプ、ボックスタイプ、フォーメーションタイプ、連複流しタイプ、連単流しタイプの中から選択することができることを特徴とする請求項１４に記載された情報端末機器およびインターネットを用いた馬券投資支援システム。
【発明の詳細な説明】
【技術分野】
【０００１】
本発明は、トータルで損をしないように金額を配分して、効率良く投資できる馬券を購入することができる情報端末機器およびインターネットを用いた馬券投資支援システムに関するものである。また、本発明は、予め決められた金額内で馬券を購入する際に、効率の良い投資を行うことができる情報端末機器およびインターネットを用いた馬券投資支援システムに関するものである。
【背景技術】
【０００２】
競馬、競輪、競艇等の投票券を買い、レースの結果による配当金を楽しむファンは多い。前記配当金の払い戻しを容易にする投票券払戻装置は、たとえば、特公昭５８−４２５０９号公報に、さらに、競馬の投票を支援するオンライン競馬新聞等の発行システムは、特開平２００１−３３１６１１号公報に記載されている。
【０００３】
前記オンライン競馬新聞は、ＪＲＡ−ＶＡＮデータべースを利用するものであれば、馬券購入において、効率良く投資を行うことができるかも知れない。しかし、日本競馬協会の作成したデータべースは、契約した当人が利用できても、勝手に顧客に配信することができない。前記競馬等に対する投票券の発券装置または払戻装置等は、前記公報以外に多数出願されている。
【特許文献１】特公昭５８−４２５０９号公報
【特許文献２】特開平２００１−３３１６１１号公報
【発明の開示】
【発明が解決しようとする課題】
【０００４】
馬券等の当たり予想に関する書物およびソフトウエアは、多数業界に存在している。しかし、前記書物やソフトウエアにおいて、馬券が確実に当たるというものはない。もし、確実に当たるソフトウエアがあれば、公開せずに自分だけが使用して大儲けをすることができる筈である。
【０００５】
本発明は、以上のような課題を解決するために、当たり外れがある馬券の購入に際し、馬やレースに対する情報を多く持ち、当たる確率の高い馬券を購入できる能力を有する者にとって、効率の良い投資を可能とする情報端末機器およびインターネットを用いた馬券投資支援システムを提供することを目的とする。また、本発明は、馬やレースに対する多くの情報を基に、投資をどのようにしたら効率良く回収できるかを楽しむことができる情報端末機器およびインターネットを用いた馬券投資支援システムを提供することを目的とする。
【０００６】
本発明は、儲けたい金額を基にどのように投資したら良いかが画面によって判る情報端末機器およびインターネットを用いた馬券投資支援システムを提供することを目的とする。また、本発明は、予め決められた投資額をどのようなレースに配分した場合、儲けが多くなるかが判る情報端末機器およびインターネットを用いた馬券投資支援システムを提供することを目的とする。
【課題を解決するための手段】
【０００７】
（第１発明）
第１発明の情報端末機器およびインターネットを用いた馬券投資支援システムは、競馬馬および競馬関連情報が蓄積されたデータべースサーバにアクセスし、前記データべースサーバから前記データべースをクライアントの情報端末器にダウンロードして、馬券を購入する際の投資方法を支援するものであり、前記データべース、投資額、払戻額、収支額、投資詳細情報をそれぞれ分けて保存するローカルデータべースと、前記ローカルデータべースから馬券を購入するに必要な情報および投資に必要な情報を抽出して記憶する投資支援情報記憶手段と、前記投資支援情報記憶手段に記憶されている情報を選択する入力選択手段と、前記入力選択手段によって入力された情報の内、選択されたレース毎の投資額、オッズ、および馬券種別に基づいて配当を演算する演算手段と、前記入力選択手段により選択された情報および前記演算手段によって演算された情報を出力する出力手段と、前記各手段を制御する情報端末制御部とを少なくとも備えていることを特徴とする。
【０００８】
（第２発明）
第２発明の情報端末機器およびインターネットを用いた馬券投資支援システムは、第１発明における投資支援情報記憶手段において、開催地、レース番号、馬券種別、買目、馬番号、人気、オッズ、調整オッズ、および切り捨て対象オッズ範囲選択に係る情報が前記ローカルデータべースから抽出されていることを特徴とする。
【０００９】
（第３発明）
第３発明の情報端末機器およびインターネットを用いた馬券投資支援システムは、第１発明または第２発明における出力手段において、入力選択手段により選択された開催地、レース番号、馬券種別、買目、馬番号、人気、オッズ、調整オッズ、切り捨て対象オッズ範囲入力部、的中利益予定額入力部、投資額入力部が表示されることを特徴とする。
【００１０】
（第４発明）
第４発明の情報端末機器およびインターネットを用いた馬券投資支援システムは、第１発明から第３発明における演算手段が入力選択手段によって選択された情報、的中利益予定額、累計損失回収予定額に基づいて演算することを特徴とする。
【００１１】
（第５発明）
第５発明の情報端末機器およびインターネットを用いた馬券投資支援システムは、第１発明から第３発明における演算手段が前記入力選択手段によって選択された情報と投資額合計に基づいて演算することを特徴とする。
【００１２】
（第６発明）
第６発明の情報端末機器およびインターネットを用いた馬券投資支援システムは、第１発明から第３発明における演算手段が入力選択手段によって選択された情報と均等投資額に基づいて演算することを特徴とする。
【００１３】
（第７発明）
第７発明の情報端末機器およびインターネットを用いた馬券投資支援システムは、第１発明から第６発明における演算手段が入力選択手段によって選択されたレースの数により自動的に結果を変更することができることを特徴とする。
【００１４】
（第８発明）
第８発明の情報端末機器およびインターネットを用いた馬券投資支援システムは、第１発明から第７発明における出力手段によって表示された馬券の投資額が当日または累計が投資額保存部に保存されることを特徴とする。
【００１５】
（第９発明）
第９発明の情報端末機器およびインターネットを用いた馬券投資支援システムは、第１発明から第８発明における出力手段によって表示された馬券の払戻額が当日または累計が払戻額保存部に保存されることを特徴とする。
【００１６】
（第１０発明）
第１０発明の情報端末機器およびインターネットを用いた馬券投資支援システムは、第１発明から第９発明における出力手段によって表示された馬券の収支額が当日または累計が収支額保存部に保存されることを特徴とする。
【００１７】
（第１１発明）
第１１発明の情報端末機器およびインターネットを用いた馬券投資支援システムは、第１発明から第１０発明における出力手段に表示される画面がデータ登録画面、レース選択画面、環境設定画面、ＩＰＡＴ残高照会画面、ＩＰＡＴ照会画面、収支表画面、レース詳細画面の順で表示されることを特徴とする。
【００１８】
（第１２発明）
第１２発明の情報端末機器およびインターネットを用いた馬券投資支援システムは、第１発明から第１１発明における出力手段に表示される画面がレース選択画面からオッズ表示画面、投資画面、成績表示画面のいずれでも表示することができることを特徴とする。
【００１９】
（第１３発明）
第１３発明の情報端末機器およびインターネットを用いた馬券投資支援システムは、第１発明から第１２発明における投資画面がオッズ表示画面または成績表示画面に移ることができることを特徴とする。
【００２０】
（第１４発明）
第１４発明の情報端末機器およびインターネットを用いた馬券投資支援システムは、第１発明から第１３発明における投資画面が投票用紙画面に移ることができることを特徴とする。
【００２１】
（第１５発明）
第１５発明の情報端末機器およびインターネットを用いた馬券投資支援システムは、第１発明から第１４発明における投票用紙画面が基本タイプ、ボックスタイプ、フォーメーションタイプ、連複流しタイプ、連単流しタイプの中から選択することができることを特徴とする。
【発明の効果】
【００２２】
本発明によれば、馬券が当たることを想定して、効率の良い投資額に対する回収ができるように支援するものである。また、本発明によれば、投資額の当日の収支および累計の収支を記憶することができ、トータルで投資効率を考慮することができる。さらに、本発明の情報端末機器およびインターネットを用いた馬券投資支援システムは、入力選択手段により、出力手段に表示されている情報を見ながら、演算手段に演算させ、投資効率を考慮して決定することがきる。
【００２３】
本発明によれば、切り捨て対象オッズ範囲選択、的中利益予定額、確定買目購入額にかかる投資情報を選ぶことにより、投資効率を上げることができるようになった。
【００２４】
本発明によれば、累計損失回収予定額を入力することにより、長期的に見て、今までに損失した総額の回収または全体の儲け額を考慮して投資することができる。
【００２５】
本発明によれば、現在、馬券につぎ込める総金額である投資額合計を如何に効率良く、レースに配分できるかを前記出力手段を見ながら決定することができ、限られた総金額をどのように配分したら儲け額を多くすることができるかを支援できる。
【００２６】
本発明によれば、出力手段によって表示された馬券の投資額、払戻額、収支額を投票当日または過去の総累計が投資額記憶部に記憶される。前記投資額記憶部に記憶されている投資額、払戻額、収支額は、必要に応じて、出力手段に表示することにより、これからの投資の参考情報となる。
【００２７】
本発明によれば、日本中央競馬会の作成した情報および馬券購入サービス情報と、本発明の情報端末機器およびインターネットを用いた馬券投資支援システムが一体になり、競馬ファンのふところに見合った投資または損得情報に基づいて、投資を効率良く分配することができる。
【００２８】
本発明によれば、投資画面から所望の馬券種別に基づく投票用紙が選択され、実際の馬券と同様にマウス等を用いてチェックが入れられる。前記投票用紙から入力されたデータは、演算手段により演算され、その結果が投資画面に表示される。ユーザは、前記投資画面の投資額、払戻予定額、収支予定額等を見て再度検討することができる。
【発明を実施するための最良の形態】
【００２９】
（第１発明）
第１発明の情報端末機器およびインターネットを用いた馬券投資支援システムは、馬券を購入する際に、効率の良い投資を可能にするものであり、利用者が競馬馬および競馬関連情報が蓄積されたデータべースサーバにアクセスし、前記データべースをクライアントの情報端末器のローカルデータべースにダウンロードする。前記クライアントの情報端末器における前記ローカルデータべースには、前記競馬馬および競馬関連情報が蓄積されたデータべース、投資額、払戻額、収支額、投資詳細情報がそれぞれ分けて保存される。
【００３０】
投資支援情報記憶手段は、前記ローカルデータべースから馬券を購入するに必要な情報等が抽出されて記憶される。また、前記投資支援情報記憶手段は、切り捨て対象オッズ範囲選択部、的中利益予定額入力部、確定買目購入額入力部、累積損失回収予定額入力部、投資額合計入力部等にかかる情報が、たとえば、投資情報記憶手段から抽出されて記憶される。入力選択手段は、必要に応じて、前記投資支援情報記憶手段に記憶されている情報を選択、または入力する。また、前記入力選択手段は、投資額選択、レース選択、馬券種類の選択、買目選択、オッズ切り捨て範囲の選択、的中利益予定額の指定等を入力する。
【００３１】
演算手段は、前記選択または入力された情報に基づいて、一定のアルゴリズムにしたがい演算を行う。出力手段は、前記入力選択手段により選択された情報および前記演算手段によって演算された情報を表示または印字によって出力する。情報端末制御部は、前記ローカルデータべース、投資支援情報記憶手段、投資情報記憶手段、入力選択手段、演算手段、および出力手段をそれぞれ制御する。
【００３２】
第１発明の情報端末機器およびインターネットを用いた馬券投資支援システムは、馬券が当たることを想定して、効率の良い投資額の回収ができるように支援するものである。また、第１発明の情報端末機器およびインターネットを用いた馬券投資支援システムは、投資額の当日の収支および累計の収支を記憶することができ、トータルで投資効率を考慮することができる。第１発明の情報端末機器およびインターネットを用いた馬券投資支援システムは、入力選択手段により、出力手段に表示されている情報を見ながら、前記演算手段に演算させ、投資効率を考慮して決定することがきる。また、利用者は、前記出力手段に表示された情報を見て、結果が思わしくない場合、前記選択する情報を変更し、一番良いと思われる馬券を複数枚買うことができる。
【００３３】
（第２発明）
第２発明の情報端末機器およびインターネットを用いた馬券投資支援システムは、前記投資支援情報記憶手段から投資支援に必要な情報である選択すべき開催地、レース番号、馬券種別、買目、馬番号、人気、オッズ、調整オッズを、また、投資情報記憶手段から切り捨て対象オッズ範囲選択部、的中利益予定額入力部、確定買目購入額入力部等に係る必要な情報を投資支援情報記憶手段に抽出する。特に、前記切り捨て対象オッズ範囲選択部、的中利益予定額入力部、確定買目購入額入力部に入力された投資情報は、投資の効率に大きく影響する。前記投資支援情報記憶手段から前記情報の抽出は、入力選択手段によって行うことができる。
【００３４】
（第３発明）
第３発明の情報端末機器およびインターネットを用いた馬券投資支援システムにおける出力手段には、開催地、レース番号、馬券種別、買目、馬番号、人気、オッズ、調整オッズ、切り捨て対象オッズ範囲入力部、的中利益予定額入力部、投資額入力部が表示される。クライアントは、前記出力手段に表示された情報を見て選択または投資額を入力し、演算手段に効率の良い投資に必要な情報を演算させる。前記クライアントは、前記出力手段に表示される投資支援情報を見るとともに、投資効率を考慮して、投資に必要な情報を任意に選択しながら一番良いと思われるものを確定することができる。
【００３５】
（第４発明）
第４発明の情報端末機器およびインターネットを用いた馬券投資支援システムにおいて、累計損失回収予定額は、一日の間を通じて、または、長期的に見て、累計収支を重視する馬券投資支援システムである。買った馬券は、累計損失を回収するだけのものではなく、利益も計算に入れる。すなわち、的中利益予定額は、馬券が的中した時、前記累計損失を補てんした後の配当になる。演算手段は、今までに損失した累計損失と、入力されたこれからの利益予定率を考慮して演算を行う。前記投資方法は、今までに損失した総額の回収すると同時に全体の儲け額を考慮して投資するものである。
【００３６】
（第５発明）
第５発明の情報端末機器およびインターネットを用いた馬券投資支援システムは、第４発明の累計損失回収予定額の代わりに投資額合計を入力することにより、演算手段に演算を行わせている。前記投資額合計は、現在、馬券につぎ込める総金額であり、この金額を如何に効率良く、レースに配分できるかを前記出力手段を見ながら決定することができる。
【００３７】
すなわち、前記投資額合計は、現在のつぎ込める総金額をどのように配分したら儲け額を多くすることができるかを支援する基になる。前記演算手段は、全ての想定される当たり券の配当にそれぞれの倍率を乗じた値から全投資額を引いた値を演算し、これが想定される儲けとなる。また、実際の儲け額は、前記記憶手段に記憶されている収支額の総合計、または当日分の合計に加算される。
【００３８】
（第６発明）
第６発明の情報端末機器およびインターネットを用いた馬券投資支援システムは、前記入力選択手段によって選択された情報と均等投資額とによって前記演算手段が演算を行う。前記選択された情報は、たとえば、開催地、レース番号、馬券種別、買目、馬番号、人気、オッズ、調整オッズの他に、切り捨て対象オッズ範囲入力部からの入力に基づいて演算される。前記切り捨て対象オッズ範囲入力部は、前記オッズ範囲を適度に切り捨てることにより均等投資額であっても、投資の効率を上げることができる。  
【００３９】
（第７発明）
第７発明の情報端末機器およびインターネットを用いた馬券投資支援システムは、選択されるレースの数を多くして投資分散するか、少数精鋭にするかを前記入力選択手段によって選択できる。前記演算手段は、前記入力選択手段によって選択されたレースの数を基にして、自動的に結果を演算し、出力手段に表示することができる。
【００４０】
（第８発明）
第８発明の情報端末機器およびインターネットを用いた馬券投資支援システムは、出力手段によって表示された馬券の投資額を投票当日または過去の総累計が投資額保存部に保存される。前記投資額保存部に保存されている投資額は、必要に応じて、出力手段に表示することにより、これからの投資の参考情報となる。
【００４１】
（第９発明）
第９発明の情報端末機器およびインターネットを用いた馬券投資支援システムは、出力手段によって表示された馬券の払戻額を投票当日または過去の総累計が払戻額保存部に保存される。前記払戻額保存部に保存されている払戻額は、必要に応じて、出力手段に表示することにより、これからの投資の参考情報となる。
【００４２】
（第１０発明）
第１０発明の情報端末機器およびインターネットを用いた馬券投資支援システムは、出力手段によって表示された馬券の収支額を投票当日または過去の総累計が収支額保存部に保存される。前記収支額保存部に保存されている収支額は、必要に応じて、出力手段に表示することにより、これからの投資の参考情報となる。
【００４３】
（第１１発明）
第１１発明の馬券投資支援システムは、データ登録画面、レース選択画面、環境設定画面、ＩＰＡＴ残高照会画面、ＩＰＡＴ照会画面、収支表画面、レース詳細画面の順に投資支援情報記憶手段に記憶される。データ登録は、インターネットを介して、データべースをクライアント側のローカルデータべースにダウンロードする。レース選択は、開催地、レースの開催年月日、オッズ、調整オッズ、馬の成績等が出力手段に表示される。環境設定は、前記データべースのダウンロード、馬券を購入、照会等のための設定を行う。前記照会は、残高照会の他に、投票内容、受付番号等が照会される。収支表の作成は、投票年月日、投資額、払い戻し額、収支合計等が表になって出力する。
【００４４】
（第１２発明）
第１２発明の情報端末機器およびインターネットを用いた馬券投資支援システムは、出力手段に表示される画面がレース選択画面からオッズ表示画面、投資画面、成績表示画面のいずれにでも移ることができる。クライアントは、これらの画面を見ながら、あるいはこれらの画面を何回か往復することにより、より効率の良い投資を選択することがきる。
【００４５】
（第１３発明）
第１３発明の情報端末機器およびインターネットを用いた馬券投資支援システムは、投資画面からオッズ表示画面または成績表示画面に移ることができるため、オッズと成績を見ながら投資の効率を考慮することができる。
【００４６】
（第１４発明）
第１４発明の情報端末機器およびインターネットを用いた馬券投資支援システムは、投資画面から投票用紙画面に移ることができる。また、逆に、投票用紙画面から投資画面に移ることもできる。クライアントは、自分の買いたい投票用紙と全く同じ投票用紙を投票用紙画面から選択することができる。
【００４７】
（第１５発明）
第１５発明の情報端末機器およびインターネットを用いた馬券投資支援システムは、第１４発明における投票用紙画面から馬券の種類に基づく投票用紙を画面に出力させる。たとえば、前記投票用紙画面は、基本タイプ、ボックスタイプ、フォーメーションタイプ、連複流しタイプ、連単流しタイプであり、この中から所望のタイプを選択することができる。所望の投票用紙は、選択された馬の組み合わせの部分にマウス等を用いてチェックが入れられる。
【００４８】
前記投票用紙により具体的に選択された馬の組み合わせは、入力選択手段により、演算記憶手段に一時入力された後、演算手段により演算されて投資画面に表示される。ユーザは、前記投資画面の投資額、払戻予定額、収支予定額等を見て再度検討することができる。前記投票用紙は、実際のものと全く同じであると同時に、確定ボタンを押すことにより、当該馬券を購入できる。
【実施例１】
【００４９】
図１は本発明の第１実施例で、情報端末機器およびインターネットを用いた馬券投資支援システムの概念を説明するためのブロック構成図である。図１において、多数のクライアント情報端末機器１４は、インターネット１１を介して、日本中央競馬会の作成したＪＲＡ−ＶＡＮデータサーバ１２、およびＪＲＡＩＰＡＴ馬券購入サーバ１３に対して任意にアクセスできるようになっている。前記クライアント情報端末機器１４は、日本中央競馬会との契約により、前記各サーバに記憶された情報が提供されている。
【００５０】
前記クライアント情報端末機器１４は、情報端末制御部１４１と、ローカルデータべース１４２と、投資支援情報記憶手段１４３と、投資情報記憶手段１４４、入力選択手段１４５、演算記憶手段１４６、演算手段１４７、出力手段１４８とから少なくとも構成されている。前記情報端末制御部１４１は、インターネット１１に接続されたＪＲＡ−ＶＡＮデータサーバ１２、あるいはＪＲＡＩＰＡＴ馬券購入サーバ１３にアクセスできる通信手段を備えているとともに、前記各手段を制御することができる。
【００５１】
前記ローカルデータべース１４２は、日本中央競馬会の作成したＪＲＡ−ＶＡＮデータベース保存部、ＪＲＡＩＰＡＴ馬券購入データを保存するＪＲＡＩＰＡＴ馬券購入データベース保存部、投資額等を記憶する投資額保存部、払戻額等を保存する払戻額保存部、収支額等を保存する収支額保存部、投資詳細情報等を保存する投資詳細情報保存部、資金配分表および収支表画像等を保存する資金配分表および収支表画像保存部（投資画面）、投票用紙画像等を保存する投票用紙画像保存部が記憶されている。投資支援情報記憶手段１４３は、前記ローカルデータべース１４２に一旦記憶された情報の中から必要な情報を抽出して記憶するだけでなく、後述の投資情報記憶手段１４４に記憶されている情報も記憶する。
【００５２】
投資情報記憶手段１４４は、投資に必要な情報である切り捨て対象オッズ範囲、投資方法にかかる情報が記憶されている。前記投資方法には、累計損失回収定額方式および均等方式がある。前記累計損失回収定額方式には、定額法として、的中利益予定額があり、定率法として、利益予定率がある。
【００５３】
前記入力選択手段１４５は、投資支援情報記憶手段１４３から、たとえば、選択すべきレース名、レース番号、馬券種別、買目、馬番号、人気、オッズ、および切り捨て対象オッズ範囲、的中利益予定額、確定買目購入額に係る情報が選択される。前記入力選択手段１４５によって選択された情報は、出力手段１４８、たとえば、ディスプレイに表示される。クライアントは、前記出力手段１４８に表示された情報を見て、切り捨て対象オッズ範囲を変えたり、的中利益予定額または確定買目購入額を入力する。
【００５４】
前記演算記憶手段１４６は、必要に応じて設けられるものであり、前記入力選択手段１４５によって選択された情報の中から演算に必要な情報を記憶する。前記演算手段１４７は、前記演算記憶手段１４６に記憶された情報を基にして、予め決められたアルゴリズムによって演算される。前記演算手段１４７によって演算された結果は、出力手段１４８に表示される。クライアントは、出力手段１４８の表示を見て、選択を確定し、馬券購入の実行を行う。馬券の購入情報は、情報端末制御部１４１の通信手段によりインターネット１１を介して、ＪＲＡＩＰＡＴ馬券購入サーバ１３に送られ、馬券が購入される。また、前記クライアントは、前記出力手段１４８に表示された情報が自分の考えと異なる場合、レース名、レース番号、馬券種別、買目、馬番号、人気、オッズ、および切り捨て対象オッズ範囲、的中利益予定額、確定買目購入額等を変更し、一番良いと思われるものを購入することができる。
【００５５】
すなわち、前記クライアントは、前記出力手段１４８に表示された情報を見て、気に入らない場合、最初の画面に戻り、レースの選択、買目、人気、オッズ等を参照して、投資額のレースにかける配分、あるいは切り捨て対象オッズ範囲を変えたり、的中利益予定額または確定買目購入額を変えて入力する。前記クライアントは、一般に、前記変更を何回か繰り返すことにより、一番効率的であると思われる投資を行う。
【００５６】
前記図１の説明は、投資方法を説明するためのハードウエアについの概略である。これに対して、図２は情報の登録から馬券を購入して、儲けの収支表を作るまでの流れを説明するための図である。図２において、メニュー画面２１は、データ登録画面２２、レース選択画面２３、環境設定画面２４、ＩＰＡＴ残高照会画面２５、ＩＰＡＴ照会画面２６、収支表画面２７、レース詳細画面２８のボタンからなる。
【００５７】
前記データ登録画面２２は、インターネット１１を介して、ＪＲＡ−ＶＡＮデータサーバ１２およびＪＲＡＩＰＡＴ馬券購入サーバ１３にアクセスして、たとえば、特別登録馬情報、レース情報、その他の馬に関する蓄積情報、レースの開催スケジュール等の登録データをローカルデータべース１４２から抽出できる。
【００５８】
レース選択画面２３は、前記ローカルデータべース１４２に登録された前記ＪＲＡ−ＶＡＮデータべースからレース名、オッズ表示、成績表示、開催年月日、開催地等が出力手段１４８に表示された中から選択される。環境設定画面２４は、馬券購入の際に契約暗証番号等の入力、配当を高くまたは低く設定し、予想配当対象範囲の決定、買目の選択、馬券種別の設定等を前記出力手段１４８の表示を見ながら行う。
【００５９】
ＩＰＡＴ残高照会画面２５は、ＪＲＡＩＰＡＴ馬券購入サーバ１３に記憶されている残高照会を行うことにより、銀行残高が判る。ＩＰＡＴ照会画面２６は、投票内容照会、受付番号照会等を行うことができる。収支表画面２７は、投票年月日、投資額、払戻額、収支合計等が収支表になって、前記出力手段１４８に表示される。レース詳細画面２８は、最近行われたレース情報およびこれから開催されるレースの詳細情報が前記出力手段１４８に表示される。前記データ登録画面２２からレース詳細画面２８までは、前記クライアント情報端末機器１４により処理される。
【００６０】
前記レース選択画面２３は、レースを選択することにより、オッズ表示画面２３１、投資画面２３２、成績表示画面２３４に移ることができる。前記オッズ表示画面２３１は、前記選択されたレースにおける買目に対するオッズが表示されている。投資画面２３２は、資金配分に基づく払戻予定額、収支予定額等が演算手段１４７によって演算される。前記成績表示画面２３４は、レースの成績が表示されている。投票用紙買目選択画面２３５は、後述の投票用紙が画面に表示され、所望の買目を選択することができる。また、投資画面２３２は、オッズ表示画面２３１、成績表示画面２３４、投票用紙買目選択画面２３５に移るボタンを備えており、これらの画面上を自由に移動することができるので、これらの画面を見て、効率の良い投資を行う参考になる。
【００６１】
図３は本発明の第１実施例である累計損失回収定額方式を説明するための図である。図３における累計損失回収定額方式は、前記出力手段１４８に表示されている情報を基にして、入力選択手段１４５によって選択される。レース選択３１１は、レースが開催される場所およびレース番号を選択し、必要に応じて、演算記憶手段３１７に記憶させる。馬券種別指定３１２は、単勝、複勝、ワイド、馬連、馬単、３連複、３連単等の馬券種別を指定し、指定された馬券種別が必要に応じて、演算記憶手段３１７に記憶される。
【００６２】
人気順買目選択３１３は、人気順または馬番順を選択し、これらが演算記憶手段３１７に記憶される。馬番順買目選択３１４は、人気番号、または馬番を選択し、演算記憶手段３１７に記憶される。オッズ切り捨て範囲選択３１５は、切り捨て対象オッズ範囲を低配当（たとえば、図６において５０倍）および高配当（たとえば、図６において２０００倍）を設定して、前記配当の上下を切り捨て、前記設定された範囲が前記演算記憶手段３１７に記憶される。
【００６３】
的中利益予定額指定３１６は、儲けたい金額または損失を回収したい金額であり、この金額を入力して、前記演算記憶手段３１７に記憶する。前記レース選択３１１から的中利益予定額指定（たとえば、図６において５００００円）３１６までが、前記演算記憶手段３１７に記憶され、出力手段１４８に表示さる。クライアントは、前記出力手段１４８に表示された内容を見て、前記選択した情報を変えるか、あるいは確定ボタンを押すことにより、前記演算記憶手段３１７に記憶された情報を基にして演算手段３１８が演算を行い、出力手段１４８に確定・買目表示、購入額が自動表示３１９される。前記演算記憶手段３１７には、今までの累積損失額も記憶されるようになっている。
【００６４】
クライアントは、前記出力手段１４８の表示を見て納得できない場合、レースの選択３１１、馬券種別の指定３１２、人気順買目選択３１３、馬番順買目選択３１４、オッズ切り捨て範囲の選択３１５、的中利益予定額指定３１６のそれぞれを変えてみる。クライアントは、納得した時点で、確定ボタンを押して演算手段３１８に演算を行わせる。また、前記クライアントは、投票用紙買目選択３２０において、投票用紙を画面に表示させて所望の買目を選択することができる。
【００６５】
次に、演算手段３１８によって演算されるアルゴリズムの一例を説明する。先ず、的中利益予定額を１００００円とし、調整割引率を１０％とする。
買  目    オッズ      購入額      調整オッズ    確定オッズ    配当額  
２−５    １０倍    １２００円      ９倍        １１倍    １０８００円
３−８  １００倍      ２００円    ９０倍      １０５倍    １８０００円
買目２−５が的中した場合、
当たり購入額（1,200 円）×11倍−全購入額（1,200 ＋200 ）＝儲け（11,800）となる。
【実施例２】
【００６６】
図４は本発明の第２実施例である投資額平均回収指定方式を説明するための図である。図４における投資額平均回収指定方式は、レース選択４１１、馬券種別指定４１２、人気順買目選択４１３、馬番順買目選択４１４、オッズ切り捨て範囲選択４１５、演算手段４１７、確定・買目表示購入額自動表示４１９、投票用紙買目選択４２０が図３の第１実施例と同じである。異なるのは、投資額平均回収指定４１６を設けた点にのみある。
【００６７】
前記投資額平均回収指定４１６のアルゴリズムは、投資額を１００００円と決め、この金額の範囲で儲けたい場合である。
買  目    オッズ      購入額      調整オッズ    確定オッズ    配当額  
２−５    １０倍    ９１００円      ９倍        １１倍    ８１９００円
３−８  １００倍      ９００円    ９０倍      １０５倍    ８１０００円
買目２−５が的中した場合、
当たり購入額（9,100 円）×11倍−全購入額（10,000）＝儲け（90,100）となる。前記アルゴリズムの例は、一例であるが、全ての馬券種別、全ての買目等が演算される。
【実施例３】
【００６８】
図５は本発明の第３実施例である均等投資指定方式を説明するための図である。図５における均等投資指定方式は、レース選択５１１、馬券種別指定５１２、人気順買目選択５１３、馬番順買目選択５１４、オッズ切り捨て範囲選択５１５、演算手段５１７、確定・買目表示購入額自動表示５１９、投票用紙買目選択５２０が図４の第２実施例と同じである。異なるのは、均等投資指定５１６を設けた点にのみある。
【００６９】
前記均等投資指定５１６は、通常行われている買いかたである。しかし、本実施例における均等投資指定５１６は、図５から判るように、オッズ切り捨て範囲の選択５１５があり、投資をある範囲に絞り込み効率的回収を行うことができる。
【００７０】
図６は本発明の第１実施例から第３実施例に使用される投資画面を説明するための図である。図６において、投資画面は、投資配分あるいは収支が一目で判るようになっている。クライアントは、レース、馬券種別、買目、切り捨て対象オッズの範囲、投資方法における的中利益予定額、投資額合計、あるいは投資額等を決めて入力する。前記入力により、前記投資画面には、演算手段により演算が行われた結果、投資額の配分、払戻予定額、収支予定額が出力される。
【００７１】
図７は本発明の実施例において、投資画面における投票用紙のボタンを押した場合のメニュー画面と投票用紙の一例を説明するための図である。図７において、投票用紙メニューは、基本タイプ、ボックスタイプ、フォーメーションタイプ、連複流しタイプ、連単流しタイプのボタンがある。たとえば、基本タイプのボタンを押すと、基本タイプの投票用紙が出力する。買目の選択は、マウスによりクリックされると、データとして投資画面に入力される。クライアントは、投資画面を見て確定であれば、確定ボタンを押す。前記確定ボタンを押すことにより、前記投票用紙の買目を買うことができる。
【００７２】
図８は本発明の実施例で使用する投票用紙の一例を説明するための図である。図８において、投票用紙は、連複ながし、あるいは連単ながしを買う場合の例であり、図８に表示された例は、所望の位置をクリックすることにより、実際の馬券と同じように記入されたことになる。投票用紙は、図７に示す画面をクリックすることにより、当該するタイプの投票用紙が画面に表示される。利用者は、投票用紙に書き込みが完了した後、図６の画面に戻り、投票をクリックすることによりオンラインで馬券が購入される。
【産業上の利用可能性】
【００７３】
以上、本発明の実施例を詳述したが、本発明は、前記実施例に限定されるものではなく、特許請求の範囲に記載されている事項を逸脱することがなければ、種々の設計変更を行うことが可能である。たとえば、図面に示されたブロックは、公知または周知の技術によって達成できるものである。アルゴリズムは、単純な加算減算のみにより行われる。情報端末機器は、デスクトップ型、携帯型等を問わない。ＪＲＡ−ＶＡＮデータべース等は、契約によりデータのサービスを受けられる者に限る。
【図面の簡単な説明】
【００７４】
【図１】本発明の第１実施例で、情報端末機器およびインターネットを用いた馬券投資支援システムの概念を説明するためのブロック構成図である。（実施例１）
【図２】情報の登録から馬券を購入して、儲けの収支表を作るまでの流れを説明するための図である。
【図３】本発明の第１実施例である累計損失回収定額方式を説明するための図である。
【図４】本発明の第２実施例である投資額平均回収指定方式を説明するための図である。（実施例２）
【図５】本発明の第３実施例である均等投資指定方式を説明するための図である。（実施例３）
【図６】本発明の第１実施例から第３実施例に使用される投資画面を説明するための図である。
【図７】本発明の実施例において、投資画面における投票用紙のボタンを押した場合のメニュー画面と投票用紙の一例を説明するための図である。
【図８】図８は本発明の実施例で使用する投票用紙の一例を説明するための図である。
【符号の説明】
【００７５】
１１・・・インターネット
１２・・・ＪＲＡ−ＶＡＮデータサーバ
１３・・・ＪＲＡＩＰＡＴ馬券購入サーバ
１４・・・クライアント情報端末機器
１４１・・・情報端末制御部
１４２・・・ローカルデータべース
１４３・・・投資支援情報記憶手段
１４４・・・投資情報記憶手段
１４５・・・入力選択手段
１４６・・・演算記憶手段
１４７・・・演算手段
１４８・・・出力手段
【図１】
2006163709.tif 000003
【図２】
2006163709.tif 000004
【図３】
2006163709.tif 000005
【図４】
2006163709.tif 000006
【図５】
2006163709.tif 000007
【図６】
2006163709.tif 000008
【図７】
2006163709.tif 000009
【図８】
2006163709.tif 000010